(57)【要約】      （修正有）【課題】効率よく音声広告情報を提供できる自動販売機を提供する。【解決手段】商品を提供する自動販売機１は、商品購入者が購入したい商品を選択する商品選択ボタン１２と、商品購入者からの投入金額と、商品の販売価格と、を比較して販売可能な商品を判断する販売可能判断部と、販売可能判断部で販売可能と判断され、かつ、商品選択ボタン１２で選択された商品を搬出する商品制御部と、音声広告を記憶する音声広告情報記憶部と、音声広告情報を出力する出力部６０と、販売可能判断部で販売可能と判断された場合に、音声広告情報を出力部６０に出力させる出力制御部と、を備える。【選択図】図１
0003191544.tif 000002
【実用新案登録請求の範囲】
【請求項１】
商品を提供する自動販売機であって、
商品購入者が購入したい商品を選択する商品選択手段と、
前記商品購入者からの投入金額と、前記商品の販売価格と、を比較して販売可能な商品を判断する販売可能判断手段と、
前記販売可能判断手段で販売可能と判断され、かつ、前記商品選択手段で選択された商品を搬出する商品制御手段と、
音声広告情報を記憶する音声広告情報記憶手段と、
前記音声広告情報を出力する出力手段と、
前記販売可能判断手段で販売可能と判断された場合、または、前記商品選択手段で前記商品が選択された場合に、前記音声広告情報を前記出力手段に出力させる出力制御手段と、
を備えることを特徴とする自動販売機。
【請求項２】
前記商品購入者が聞きたい音声広告情報を選択する音声広告情報選択手段を備え、
前記出力制御手段が、前記販売可能判断手段で販売可能と判断された場合に、前記音声広告情報選択手段で選択された音声広告情報を前記出力手段に出力させることを特徴とする請求項１に記載の自動販売機。
【請求項３】
外部記憶媒体を装着する記憶媒体装着手段を備え、
前記音声広告情報記憶手段が、前記音声広告情報を記憶する外部記憶媒体であることを特徴とする請求項１または請求項２に記載の自動販売機。
【請求項４】
前記自動販売機は、本体キャビネットおよび当該本体キャビネットの前面を開閉する外扉から構成される筐体であって、
前記記憶媒体装着手段が、前記本体キャビネットの前面もしくは側面、または、前記外扉の前面もしくは後面、の少なくとも１つに配置されていることを特徴とする請求項３に記載の自動販売機。
【請求項５】
近距離無線通信手段を備え、
前記音声広告情報記憶手段が、前記近距離無線通信手段を介して取得した音声広告情報を記憶することを特徴とする請求項１または請求項２に記載の自動販売機。
【請求項６】
商品を提供する自動販売機であって、
音声広告情報を記憶する音声広告情報記憶手段と、
前記音声広告情報を出力する出力手段と、
商品購入者から入金を検出する入金検出手段と、
前記入金検出手段で入金を検出した場合に、前記音声広告情報を前記出力手段に出力させる出力制御手段と、
を備えることを特徴とする自動販売機。
【考案の詳細な説明】
【技術分野】
【０００１】
本考案は、商品を販売する自動販売機において、商品が購入されたときに、音声広告情報を提供する自動販売機に関するものである。
【背景技術】
【０００２】
利用者に広告情報を提供する自動販売機が提案されている（例えば、特許文献１参照）。特許文献１では、予め決められた順に広告情報を提供する自動販売機において、利用者が見たい広告情報を入力手段によって選択入力することによりすぐ見ることができる技術が提案されている。また、併せて、自動販売機が通信手段によりセンタからデータを受信することで、記憶装置のスペースを少なくするとともに、入力手段により選択できる広告情報の選択肢を増やすことができる技術も提案されている。
【先行技術文献】
【特許文献】
【０００３】
【特許文献１】特開平９−１２８６１４号公報
【考案の概要】
【考案が解決しようとする課題】
【０００４】
ところで、音声による広告情報（以下、音声広告情報という）を自動販売機で提供する場合には、コストや周囲への配慮を考えると、人が自動販売機前に留まっている場合にのみ提供したいという要望がある。しかしながら、特許文献１では、音声広告情報を含む広告情報を継続的に提供しているために、人が自動販売機前に留まっている場合にのみ音声広告情報を提供することはできなかった。一方で、人感センサを搭載することで自動販売機前の人を検知した場合にさまざまな処理を行う自動販売機がある。そこで、特許文献１の自動販売機に人感センサを搭載することで人が自動販売機前に留まっている場合に広告を提供することが可能となる。
【０００５】
しかしながら、人感センサは動物や車にも反応してしまうために、動物や車の通過した場合にも音声広告情報が提供されてしまい、必ずしも人が自動販売機前に留まっている場合にのみ広告を提供することはできなかった。
【０００６】
そこで、上記課題に鑑みて、本考案では、商品を販売する自動販売機において、商品が購入されたときに、音声広告情報を提供することで、人が自動販売機前に留まっている場合にのみ音声広告情報を提供できる自動販売機を提供することを目的とする。
【課題を解決するための手段】
【０００７】
本考案は、上記の課題を解決するために、以下の事項を提案している。なお、理解を容易にするために、本考案の実施形態に対応する符号を付して説明するが、これに限定されるものではない。
【０００８】
（１）  本考案は、商品を提供する自動販売機（１）であって、商品購入者が購入したい商品を選択する商品選択手段（１２）と、前記商品購入者からの投入金額と、前記商品の販売価格と、を比較して販売可能な商品を判断する販売可能判断手段（１３０）と、前記販売可能判断手段で販売可能と判断され、かつ、前記商品選択手段で選択された商品を搬出する商品制御手段（１４０）と、音声広告情報を記憶する音声広告情報記憶手段（１５０）と、前記音声広告情報を出力する出力手段（６０）と、前記販売可能判断手段で販売可能と判断された場合、または、前記商品選択手段で前記商品が選択された場合に、前記音声広告情報を前記出力手段に出力させる出力制御手段（１６０）と、を備えることを特徴とする自動販売機を提案している。
【０００９】
この考案によれば、商品購入者が自動販売機前に留まっているときにのみ音声広告情報を出力できるので、コストを抑え、かつ、周囲に配慮しつつ、効率よく音声広告情報を提供できる。
【００１０】
（２）  本考案は、（１）の自動販売機について、前記商品購入者が聞きたい音声広告情報を選択する音声広告情報選択手段（４２）を備え、前記出力制御手段が、前記販売可能判断手段で販売可能と判断された場合に、前記音声広告情報選択手段で選択された音声広告情報を前記出力手段に出力させることを特徴とする自動販売機を提案している。
【００１１】
この考案によれば、商品購入者が出力される音声広告情報を選択することができ、好みの音声広告情報を聞くことができる。
【００１２】
（３）  本考案は、（１）または（２）の自動販売機について、外部記憶媒体を装着する記憶媒体装着手段（５０）を備え、前記音声広告情報記憶手段が、前記音声広告情報を記憶する外部記憶媒体であることを特徴とする自動販売機を提案している。
【００１３】
この考案によれば、音声広告情報の提供者は、記憶媒体装着手段に装着する外部記憶媒体を交換することによって容易に音声広告情報を変更することができる。
【００１４】
（４）  本考案は、（３）の自動販売機について、前記自動販売機は、本体キャビネットおよび当該本体キャビネットの前面を開閉する外扉から構成される筐体であって、前記記憶媒体装着手段が、前記本体キャビネットの前面もしくは側面、または、前記外扉の前面もしくは後面、の少なくとも１つに配置されていることを特徴とする自動販売機を提案している。
【００１５】
この考案によれば、音声広告情報が記憶されている外部記憶媒体を、音声広告情報の提供者自身が容易に交換できるようにすることもでき、また、自動販売機の管理者の管理の元に交換できるようにすることもできる。
【００１６】
（５）  本考案は、（１）または（２）の自動販売機について、近距離無線通信手段を備え、前記音声広告情報記憶手段が、前記近距離無線通信手段を介して取得した音声広告情報を記憶することを特徴とする自動販売機を提案している。
【００１７】
この考案によれば、近距離無線通信手段を用いた通信にて、音声広告情報記憶手段の音声広告情報を変更することができる。
【００１８】
（６）  本考案は、商品を提供する自動販売機であって、音声広告情報を記憶する音声広告情報記憶手段（１５０）と、前記音声広告情報を出力する出力手段（６０）と、商品購入者から入金を検出する入金検出手段（投入金額算出部１２０に相当）と、前記入金検出手段で入金を検出した場合に、前記音声広告情報を前記出力手段に出力させる出力制御手段（１６０）と、を備えることを特徴とする自動販売機を提案している。
【００１９】
この考案によれば、商品購入者が自動販売機前に留まっているときにのみ音声広告情報を出力できるので、コストを抑え、かつ、周囲に配慮しつつ、効率よく音声広告情報を提供できる。
【考案の効果】
【００２０】
本考案によれば、商品を販売する自動販売機において、商品が購入されたときに、音声広告情報を提供することで、コストを抑え、かつ、周囲に配慮しつつ、効率よく音声広告情報を提供できる。
【図面の簡単な説明】
【００２１】
【図１】本考案に係る自動販売機の正面図である。
【図２】本考案に係る自動販売機の制御装置の機能構成を示す図である。
【図３】本考案に係る自動販売機の動作の流れを示すフローチャートである。
【図４】本考案に係る自動販売機の内部を示す図である。
【考案を実施するための形態】
【００２２】
以下、図面を用いて、本考案の実施形態について詳細に説明する。なお、本考案形態における構成要素は適宜、既存の構成要素等との置き換えが可能であり、また、他の既存の構成要素との組み合わせを含むさまざまなバリエーションが可能である。したがって、本実施形態の記載をもって、実用新案登録請求の範囲に記載された考案の内容を限定するものではない。
【００２３】
図１は、本考案に係る自動販売機１の概略正面図の一例である。自動販売機１は、缶入り飲料、ペットボトル飲料、たばこ等の商品を販売する自動販売機であって、商品が購入されたときに、音声広告情報を提供することができる。音声広告情報は、任意の時間提供することができるが、自動販売機１の前に人が少なくとも留まっている時間提供すればよいので、１５〜３０秒程度が好ましい。ここで、商品が購入されたときとは、自動販売機１に入金されたとき、または、商品を選択するための選択ボタンを押下されたときのいずれかである。また、音声広告情報とは、商品や店舗等の宣伝や説明といった音声広告であって、音楽が含まれていてもよい。
【００２４】
自動販売機１の前面には、商品用領域１０、料金投入部２０、料金返却部３０、広告用領域４０、記憶媒体装着部５０、出力部６０、および商品取出口７０を備える。また、自動販売機１は内部に制御装置１００、および、複数のコラム（図示せず）を備えている。このコラムは、例えば、サーペンタイン式のラックからなるもので、複数種類の商品を個別に収納することができる。
【００２５】
商品用領域１０には、販売商品の商品見本１１および商品選択ボタン１２が配置されている。商品選択ボタン１２は、商品購入者が購入したい商品を選択するための押ボタンスイッチであって、商品見本１１に対応して設けられている。なお、商品見本１１は、ディスプレイといった表示装置に商品の外観等を表示したものであってもよい。また、商品選択ボタン１２は、商品が購入可能になった際に、商品購入者に購入可能であることを知らせるためのランプを備えている。なお、ランプは、商品選択ボタン１２が選択された際や、投入金返却レバーが操作された際に消灯する。
【００２６】
料金投入部２０は、紙幣の投入口、硬貨の投入口、ＩＣカードとの無線通信部、投入金返却レバー等を備え、商品購入者から料金の投入を受け付ける。料金返却部３０は、商品購入者による料金支払いにおいて釣り銭が発生した場合に、釣り銭となる硬貨や紙幣を排出する。なお、釣り銭となる紙幣は、料金返却部３０ではなく、料金投入部２０の紙幣の投入口から排出されてもよい。
【００２７】
広告用領域４０は、提供している音声広告情報の提供者や提供内容を示す広告内容見本４１および広告選択ボタン４２が配置されている。広告選択ボタン４２は、商品購入者が聞きたい音声広告情報を選択するための押ボタンスイッチであって、広告内容見本４１に対応して設けられている。なお、広告選択ボタン４２として、商品購入者が音声広告情報を聞かない旨の意思表示を行うためのボタンを設けてもよい。
【００２８】
また、広告選択ボタン４２として、音声広告情報を聞く旨の意思表示を行うためのボタンと、音声広告情報を聞かない旨の意思表示を行うためのボタンとの２つのみを、広告用領域４０に配置してもよい。音声広告情報を聞くか聞かないかの二択からの選択となるため、商品の選択に加えて音声広告情報の選択も行うことによるわずらわしさを軽減することができる。
【００２９】
更に、広告選択ボタン４２は、音声広告情報が選択可能になった際に、商品購入者に選択可能であることを知らせるためのランプを備えている。
【００３０】
本実施形態では、自動販売機１は広告用領域４０を有しているが、自動販売機１は商品用領域１０のみを有し、広告用領域４０を備えなくてもよい。この場合には、商品購入されたときに、音声広告情報が自動的に商品購入者に提供され、通常の自動販売機の場合と同じ使用態様にて、音声広告情報を提供することが可能となる。
【００３１】
記憶媒体装着部５０は、を着脱自在に装着できるスロットである。ここで、外部記憶媒体とは、ＳＤメモリーカード、ＵＳＢメモリーカード、メモリーカードステック等である。記憶媒体装着部５０は、広告選択ボタン４２それぞれに対し１つ備えることで、ボタン毎に音声広告情報を容易に変更することが可能となる。本実施形態において記憶媒体装着部５０は、自動販売機１の前面に設けられているが、外部から操作可能であれば、自動販売機１の側面や後面であってもよい。
【００３２】
このように、記憶媒体装着部５０が自動販売機の周囲の側面に設けられることにより、自動販売機１をネットワークに接続してセンタから音声広告情報の更新を受信しなくても、音声広告情報の提供者自らが外部記憶媒体の交換することにより容易に音声広告情報を変更することができる。それにより、自動販売機毎に、異なる音声広告情報を提供することが容易に可能となり、自動販売機１の近隣にある店舗が音声広告情報を自動販売機１に出しやすくすることができる。なお、記憶媒体装着部５０を、鍵を備えた開閉可能な蓋体で塞いで、音声広告情報の提供者や自動販売機１の管理者といった特定の人のみがその鍵を有することで、特定の人以外は音声広告情報を変更するようにできなくしてもよい。
【００３３】
出力部６０は、音声広告情報を出力するスピーカーである。本実施形態では、スピーカーは商品取出口７０の内部に備えられているが、自動販売機１の本体内や自動販売機１の上部や側面に外付けで備えられてもよい。
【００３４】
商品取出口７０は、コラムから搬出された商品を商品購入者が受け取るための開口である。
【００３５】
図２は、本考案に係る自動販売機１の制御装置１００の機能構成を示す図である。制御装置１００は、主制御部１１０、投入金額算出部１２０、販売可能判断部１３０、商品制御部１４０、音声広告情報記憶部１５０、および出力制御部１６０を備える。
【００３６】
主制御部１１０は、ＣＰＵ、ＲＡＭ、ＲＯＭ、タイマ回路等を備えたコンピュータから構成され、自動販売機１を制御する。また、主制御部１１０は、制御プログラムを記憶するメモリ１１１を備え、制御プログラムを実行することで、投入金額算出部１２０、販売可能判断部１３０、商品制御部１４０、音声広告情報記憶部１５０、および出力制御部１６０を実現するとともに制御する。
【００３７】
投入金額算出部１２０は、料金投入部２０に投入された料金から投入金額を算出する。販売可能判断部１３０は、投入金額算出部１２０で算出した投入金額と販売商品それぞれの販売価格とを比較し、投入金額よりも販売価格が低い商品を販売可能と判断する。そして、販売可能判断部１３０は、販売可能と判断した商品を、主制御部１１０を介して商品制御部１４０に通知する。このとき、併せて、出力制御部１６０に通知してもよい。なお、料金投入部２０に料金が投入されて、投入金額算出部１２０が投入金額を算出する毎に、販売可能判断部１３０は、投入金額と販売商品それぞれの販売価格とを比較する。
【００３８】
商品制御部１４０は、主制御部１１０を介して販売可能判断部１３０から通知を受信すると、販売可能と判断した商品に対応する商品選択ボタン１２のランプを点灯させて、商品購入者に購入可能な商品を知らせる。そして、商品制御部１４０は、主制御部１１０を介して商品選択ボタン１２が押下されたことを検出すると、押下された商品選択ボタン１２に対応する商品を搬出する指示を、主制御部１１０を介してコラムに行い、商品取出口７０に商品を搬出させる。また、商品制御部１４０は、投入金額算出部１２０で算出した投入金額が選択された商品の販売価格を上回っている場合には、主制御部１１０に釣銭の返却指示を行い、料金返却部３０に釣銭を返却する。
【００３９】
音声広告情報記憶部１５０は、音声広告情報を記憶する。本実施形態において、音声広告情報記憶部１５０は、記憶媒体装着部５０に装着された外部記憶媒体で実現されるが、制御装置１００に内蔵されたハードディスクで実現されてもよい。音声広告情報記憶部１５０がハードディスクで実現される場合には、広告選択ボタン４２それぞれに対応付けられて音声広告情報が記憶される。制御装置１００が近距離無線通信部（図示せず）を備える場合には、近距離無線通信を介して、音声広告情報を記憶しているスマートフォンや携帯電話機等から音声広告情報記憶部１５０を更新することが可能となる。それにより、自動販売機１をネットワークに接続してセンタから音声広告情報の更新を受信しなくても、音声広告情報の提供者が自身のスマートフォン等と自動販売機１とを近距離無線通信させることで、容易に音声広告情報を変更することができる。
【００４０】
出力制御部１６０は、商品購入者によって商品選択ボタン１２が押下されたときに音声広告情報を提供する場合には、主制御部１１０を介して商品選択ボタン１２が押下されたことを検出すると、広告選択ボタン４２のランプを点灯させて、商品購入者に音声広告情報が提供可能なことを知らせる。そして、出力制御部１６０は、押下された広告選択ボタン４２に対応する音声広告情報を音声広告情報記憶部１５０から取得し、取得した音声広告情報を主制御部１１０を介して出力部６０に送信し、出力部６０に音声広告情報を出力させる。なお、出力制御部１６０から音声広告情報を受信した主制御部１１０は、商品制御部１４０からの商品を搬出する指示を受信した後に、受信した音声広告情報を出力部６０に送信してもよい。
【００４１】
また、出力制御部１６０は、主制御部１１０を介して販売可能判断部１３０から通知を受信すると、商品制御部１４０が商品選択ボタン１２のランプを点灯させて購入可能な商品を知らせるとともに、広告選択ボタン４２のランプを点灯させて、音声広告情報が提供可能なことを知らせてもよい。商品選択ボタン１２が押下される前に、広告選択ボタン４２が押された場合には、主制御部１１０は、商品選択ボタン１２が押下されたことを検出した後、または、商品制御部１４０からの商品を搬出する指示を受信した後に、出力制御部１６０からの音声広告情報を出力部６０に送信する。それにより、商品購入者にのみに音声広告情報を出力させて、商品購入者に割引情報やクーポン情報といったメリットのある音声広告情報を提供することもできる。
【００４２】
商品購入者が音声広告情報を聞かない旨の意思表示を行うための広告選択ボタン４２を押下した場合には、出力制御部１６０は、出力部６０に音声広告情報を出力させない。また、広告選択ボタン４２のランプが点灯してから所定時間経過しても広告選択ボタン４２が選択されない場合には、出力制御部１６０は、任意に取得した音声広告情報を出力部６０に出力させる。
【００４３】
例えば、出力制御部１６０は、予め設定されている順番に従って音声広告情報を音声広告情報記憶部１５０から取得したり、商品購入者が選択した商品選択ボタン１２に対応付けられている音声広告情報を音声広告情報記憶部１５０から取得したりする。商品選択ボタン１２に音声広告情報を対応付ける際には、多数回流したい音声広告情報はよく売れる商品の商品選択ボタン１２に対応付けたり、子供を対象とする音声広告情報は子供に人気の商品の商品選択ボタン１２に対応付けたりすることで広告効果を高めることができる。
【００４４】
ランプは、広告選択ボタン４２が選択された際や、所定時間経過後に消灯する。
【００４５】
自動販売機１に入金されたときに音声広告情報を提供する場合には、出力制御部１６０は、投入金額算出部１２０が入金を検出したことに応じて、広告選択ボタン４２のランプを点灯させて、商品購入者に音声広告情報が提供可能なことを知らせる。音声広告情報の出力処理については、商品選択ボタン１２が押下されたときに音声広告情報を提供する場合と同様である。それにより、料金投入後に商品購入者がどの商品を購入しようか悩んでいる際に、おすすめの商品の音声広告情報を提供することができ、売りたい商品を優先的にユーザに購入させたりすることができる。
【００４６】
図３は、本考案に係る自動販売機１の動作の流れの一例を示すフローチャートである。本例では、商品購入者によって商品選択ボタン１２が押下されたときに音声広告情報を提供し、料金投入部２０に購入者が料金を投入すると処理が開始する。
【００４７】
まず、投入金額算出部１２０が、料金投入部２０に投入された料金から、投入金額を算出する（ステップＳ１）。次に、販売可能判断部１３０は、販売商品それぞれについて、販売価格とステップＳ１で算出された投入金額とを比較し、投入金額よりも販売価格が低い商品を販売可能な商品と判断する（ステップＳ２）。
【００４８】
次に、販売可能判断部１３０は、販売可能と判断した商品を主制御部１１０に通知し、主制御部１１０は、販売可能と判断された商品に対応する商品選択ボタン１２のランプを点灯させる（ステップＳ３）。次に、商品制御部１４０は、商品選択ボタン１２が押下されたか否かを判断する（ステップＳ４）。商品選択ボタン１２が押下されていない場合（ＮＯ）には、ステップＳ４に処理を戻す。なお、商品選択ボタン１２が押下されていない場合であっても、投入金返却レバーが操作された場合には処理を終了する。
【００４９】
一方、商品選択ボタン１２が押下された場合（ＹＥＳ）には、商品制御部１４０は、押下された商品選択ボタン１２に対応する商品を搬出する指示を、主制御部１１０に送信する（ステップＳ５）。次に、出力制御部１６０は、広告選択ボタン４２のランプを点灯させる（ステップＳ６）。次に、出力制御部１６０は、広告選択ボタン４２が押下されたか否かを判断する（ステップＳ７）。広告選択ボタン４２が押下された場合（ＹＥＳ）には、出力制御部１６０は、押下された広告選択ボタン４２に対応する音声広告情報を主制御部１１０を介して出力部６０に送信し、出力部６０に音声広告情報を出力させる（ステップＳ８）。
【００５０】
一方、出力制御部１６０は、広告選択ボタン４２が押下されない場合（ＮＯ）には、所定時間が経過したか否かを判断する（ステップＳ９）。所定時間が経過していない場合（ＮＯ）には、出力制御部１６０は、ステップＳ７に処理を戻す。一方、所定時間が経過している場合（ＹＥＳ）には、出力制御部１６０は任意の音声広告情報を出力する（ステップＳ１０）。主制御部１１０は、商品制御部１４０からの商品を搬出する指示をコラムに行い、商品取出口７０に商品を搬出させる（ステップＳ１１）。
【００５１】
以上説明したように、本考案によれば、商品を販売する自動販売機において、商品が購入されるときに、音声広告情報を提供することで、自動販売機前に人が留まっている場合にのみ音声広告情報を提供することができる。それにより、コストを抑え、かつ、周囲に配慮しつつ、効率よく音声広告情報を提供できる。また、容易に交換可能な外部記憶媒体に記憶された音声広告情報を用いること、または、自動販売機に内蔵されたハードディスクをスマートフォン等との近距離無線通信を用いて変更するにより、容易に音声広告情報を変更することができる。それにより、自動販売機毎に、異なる音声広告情報を提供することが容易に可能となり、自動販売機の近隣にある店舗が音声広告情報を自動販売機に出しやすくすることができる。
【００５２】
（変形形態）
図４に自動販売機１の外扉２を開いた図を示す。記憶媒体装着部５０は、図４に示すように、外扉２の内側に設けられてもよい。また、図示しないが、本体キャビネット３の前面に設けてもよい。それにより、自動販売機１を商品の入れ替え等で開閉する際に、外部記憶媒体を交換することで音声広告情報を変更できるため、自動販売機の管理者や提供者が音声広告情報を管理することが可能となる。
【００５３】
以上、この考案の実施形態につき、図面を参照して詳述してきたが、具体的な構成はこの実施形態に限られるものではなく、この考案の要旨を逸脱しない範囲の設計等も含まれる。
【符号の説明】
【００５４】
１      自動販売機
２      外扉
３      本体キャビネット
１０    商品用領域
１１    商品見本
１２    商品選択ボタン
２０    料金投入部
３０    料金返却部
４０    広告用領域
４１    広告内容見本
４２    広告選択ボタン
５０    記憶媒体装着部
６０    出力部
７０    商品取出口
１００  制御装置
１１０  主制御部
１１１  メモリ
１２０  投入金額算出部
１３０  販売可能判断部
１４０  商品制御部
１５０  音声広告情報記憶部
１６０  出力制御部
【図１】
0003191544.tif 000003
【図２】
0003191544.tif 000004
【図３】
0003191544.tif 000005
【図４】
0003191544.tif 000006